(57)【要約】【課題】  大がかりな追加工事、そのための費用、工事期間などを必要とすることなく、戸開延長機能を持たないシステムに戸開延長機能を持たせて、システムの機能アップを実現する。【解決手段】  かご内操作盤２に設けられた戸開ボタン５と、戸閉ボタン６とが同時に操作されたとき、エレベータ制御装置３に戸開ボタン点灯指令を生成して、戸開ボタン５の内蔵ランプ８を点灯するとともに、戸開時間指令を生成し、ドア制御装置４にドアを指定された時間、例えば“１０８秒”程度、開状態にする。【選択図】      図１
2005280905.tif 000002
【特許請求の範囲】
【請求項１】
乗りかごのかご内操作盤に設けられたボタンの操作状態を検知する検知手段と、
この検知手段によって、乗りかごのかご内操作盤に設けられたボタンのうち、戸開ボタンと戸閉ボタンの両方が操作されたことが検知された場合には、エレベータドアの戸開時間を延長制御する制御手段と、
を備えたことを特徴とするエレベータ制御装置。
【請求項２】
乗りかごのかご内操作盤に設けられたボタンの操作状態を検知する検知手段と、
この検知手段によって、乗りかごのかご内操作盤に設けられたボタンのうち、戸開ボタンと任意の行き先ボタンの両方が操作されたことが検知された場合には、エレベータドアの戸開時間を延長する制御手段と、
を備えたことを特徴とするエレベータ制御装置。
【請求項３】
乗りかごのかご内操作盤に設けられたボタンの操作状態を検知する検知手段と、
この検知手段によって、乗りかごのかご内操作盤に設けられた各行き先ボタンのうち、いずれか２つ以上が操作されたことが検知された場合には、エレベータドアの戸開時間を延長する制御手段と、
を備えたことを特徴とするエレベータ制御装置。
【請求項４】
乗りかごのかご内操作盤に設けられたボタンの操作状態を検知する検知手段と、
この検知手段によって、乗りかごのかご内操作盤に設けられた戸開ボタンとともに、各行き先ボタンのいずれかが操作されたことが検知された場合には、操作された行き先ボタンに応じた延長時間だけ、エレベータドアの戸開時間を延長する制御手段と、
を備えたことを特徴とするエレベータ制御装置。
【請求項５】
請求項１乃至４のいずれか１項に記載のエレベータ制御装置において、
前記制御手段は、戸開延長中に戸開ボタンを単独、または戸閉ボタンとともに、点灯、または点滅制御して、戸開延長中であることを報知する、
ことを特徴とするエレベータ制御装置。
【請求項６】
請求項１乃至４のいずれか１項に記載のエレベータ制御装置において、
前記かご内操作盤は、戸開延長時の操作手順を示す案内銘板、またはライン表示部を備えたことを特徴とするエレベータ制御装置。
【発明の詳細な説明】
【技術分野】
【０００１】
本発明は、戸開延長ボタンなどを使用することなく、戸開時間を延長し得るようにしたエレベータ制御装置に関する。
【背景技術】
【０００２】
通常のエレベータシステムでは、図９に示すように、戸開ボタン１０１、戸閉ボタン１０２、非常通報ボタン１０３、複数の行先階ボタン１０４〜１０７などが設けられたようなかご内操作盤１００を用いて、乗りかごの行き先を指定し、乗りかごが目的階に到着したとき、一定時間だけ戸を開いて、乗客を乗降させる。この戸開時間として、一般的な乗りかごでは、“３秒”〜“１０秒”程度に設定している。建物の使用目的などにより、荷物や寝台をよく乗せる場合には、図１０に示すように、戸開延長ボタン１０８が付加されたかご内操作盤１１０を乗りかご内に取り付け、戸開延長ボタン１０８が押されたとき、戸開延長装置を動作させて、戸開時間を“１８０秒”程度まで、延長するようにしている。
【特許文献１】特開平３−９５０９３号公報
【特許文献２】特開平６−３２５６９号公報
【発明の開示】
【発明が解決しようとする課題】
【０００３】
しかしながら、このような従来のエレベータシステムでは、エレベータ据え付け時から戸開延長ボタン１０８を取り付けているシステムの場合はともかく、エレベータ据え付け後に、戸開延長機能が必要なことに気づいたり、建物の入居者が換わり、途中から戸開延長機能が必要なる場合もある。
【０００４】
このような場合には、乗りかご内に取り付けられているかご内操作盤１００を改造、または交換して、かご内操作盤１１０に戸開延長ボタン１０８を取り付け、かご内操作盤１１０とエレベータ制御装置との間の配線をやり直さなければならない。このため、戸開延長機能を持たないエレベータシステムに戸開延長機能を持たせるとき、大がかりな追加工事が必要になり、そのための費用と、かなり長い工事期間とが必要になるという問題があった。
【０００５】
本発明は上記の事情に鑑み、かご内操作盤に設けられている戸開ボタンと、戸閉ボタンとを同時に操作するだけで、戸開時間を延長することができ、これによって大がかりな追加工事、そのための費用、工事期間などを必要とすることなく、戸開延長機能を持たないシステムに戸開延長機能を持たせて、システムの機能アップを実現することができるエレベータ制御装置を提供することを目的としている。
【課題を解決するための手段】
【０００６】
上記の目的を達成するために本発明は、請求項１では、乗りかごのかご内操作盤に設けられたボタンの操作状態を検知する検知手段と、この検知手段によって、乗りかごのかご内操作盤に設けられたボタンのうち、戸開ボタンと戸閉ボタンの両方が操作されたことが検知された場合には、エレベータドアの戸開時間を延長制御する制御手段とを備えたことを特徴としている。
【０００７】
請求項２では、乗りかごのかご内操作盤に設けられたボタンの操作状態を検知する検知手段と、この検知手段によって、乗りかごのかご内操作盤に設けられたボタンのうち、戸開ボタンと任意の行き先ボタンの両方が操作されたことが検知された場合には、エレベータドアの戸開時間を延長する制御手段とを備えたことを特徴としている。
【０００８】
請求項３では、乗りかごのかご内操作盤に設けられたボタンの操作状態を検知する検知手段と、この検知手段によって、乗りかごのかご内操作盤に設けられた各行き先ボタンのうち、いずれか２つ以上が操作されたことが検知された場合には、エレベータドアの戸開時間を延長する制御手段とを備えたことを特徴としている。
【０００９】
請求項４では、乗りかごのかご内操作盤に設けられたボタンの操作状態を検知する検知手段と、この検知手段によって、乗りかごのかご内操作盤に設けられた戸開ボタンとともに、各行き先ボタンのいずれかが操作されたことが検知された場合には、操作された行き先ボタンに応じた延長時間だけ、エレベータドアの戸開時間を延長する制御手段とを備えたことを特徴としている。
【００１０】
請求項５では、請求項１乃至４のいずれか１項に記載のエレベータ制御装置において、前記制御手段は、戸開延長中に戸開ボタンを単独、または戸閉ボタンとともに、点灯、または点滅制御して、戸開延長中であることを報知することを特徴としている。
【００１１】
請求項６では、請求項１乃至４のいずれか１項に記載のエレベータ制御装置において、前記かご内操作盤は、戸開延長時の操作手順を示す案内銘板、またはライン表示部を備えたことを特徴としている。
【発明の効果】
【００１２】
本発明による、請求項１のエレベータ制御装置では、かご内操作盤に設けられている戸開ボタンと、戸閉ボタンとを同時に操作するだけで、戸開時間を延長することができ、これによって大がかりな追加工事、そのための費用、工事期間などを必要とすることなく、戸開延長機能を持たないシステムに戸開延長機能を持たせて、システムの機能アップを実現することができる。
【００１３】
また、請求項２のエレベータ制御装置では、かご内操作盤に設けられている戸開ボタンと、任意の行き先ボタンとを同時に操作するだけで、戸開時間を延長することができ、これによって大がかりな追加工事、そのための費用、工事期間などを必要とすることなく、戸開延長機能を持たないシステムに戸開延長機能を持たせて、システムの機能アップを実現することができる。
【００１４】
また、請求項３のエレベータ制御装置では、かご内操作盤に設けられている各行き先ボタンの２つ以上を同時に操作するだけで、戸開時間を延長することができ、これによって大がかりな追加工事、そのための費用、工事期間などを必要とすることなく、戸開延長機能を持たないシステムに戸開延長機能を持たせて、システムの機能アップを実現することができる。
【００１５】
また、請求項４のエレベータ制御装置では、かご内操作盤に設けられている戸開ボタンと、任意の行き先ボタンとを同時に操作するだけで、操作された行き先ボタンに応じた延長時間だけ、戸開時間を延長することができ、これによって大がかりな追加工事、そのための費用、工事期間などを必要とすることなく、戸開延長機能を持たないシステムに戸開時間を可変し得る戸開延長機能を持たせて、システムの機能アップを実現することができる。
【００１６】
また、請求項５のエレベータ制御装置では、戸開延長を行っているとき、かご内操作盤に設けられている戸開ボタンを単独、または戸閉ボタンとともに、点灯、または点滅制御して、戸開延長中であることを報知することができ、これによって大がかりな追加工事、そのための費用、工事期間などを必要とすることなく、戸開延長中表示機能を持たないシステムに戸開延長中表示機能を持たせて、システムの機能アップを実現することができる。
【００１７】
また、請求項６のエレベータ制御装置では、案内銘板、またはライン表示部など、配線変更などが不要な手段で、乗客に戸開延長手順を知らせ、これによって大がかりな追加工事、そのための費用、工事期間などを必要とすることなく、戸開延長機能の使用方法を知らせて利用することができる。
【発明を実施するための最良の形態】
【００１８】
《第１の実施形態》
図１は本発明の第１の実施形態を示すブロック図である。
【００１９】
この図に示すエレベータシステム１は、乗りかご内に設けられ、乗客によって操作されるかご内操作盤２と、かご内操作盤２の操作内容、建物の各階に配置された呼び登録装置（図示は省略する）の操作内容などに基づき、戸開ボタン点灯指令または戸閉ボタン点灯指令を出して、戸開ボタン５、または戸閉ボタン６を点灯しながら、巻き上げ機（図示は省略する）、ドアなどを制御して、乗りかごを昇降し、指定階に到着した時点で、戸開時間指令を出して、ドアを開閉するエレベータ制御装置３と、エレベータ制御装置３から出力される戸開時間指令に基づき、ドアの開閉時間を制御するドア制御装置４とを備えており、かご内操作盤２、各呼び登録装置などが操作されたとき、操作内容などに基づき、エレベータ制御装置３によって、かご内操作盤２、各呼び登録装置などに乗りかごの行き先を表示しながら、巻き上げ機、ドアなどを制御して、乗りかごを昇降し、乗りかごが指定階に到着した時点で、指定した時間だけドアを開き、乗客を乗降させる。
【００２０】
かご内操作盤２は、図２に示すように、乗りかご内に設けられるプレート１６と、プレート１６上に配置され、図３に示すように、“開釦と閉釦とを同時に押すと戸開時間が１８０秒に延長されます”などという案内文が書き込まれた案内銘板７と、プレート１６上に配置され、乗客によって操作されたとき、エレベータ制御装置３に戸開指令を供給し、またエレベータ制御装置３から戸開ボタン点灯指令が供給されているとき、内蔵ランプ８を点灯して、戸開指示を受けたことを乗客に知らせる戸開ボタン５と、プレート１６上に配置され、乗客によって操作されたとき、エレベータ制御装置３に戸閉指令を供給し、またエレベータ制御装置３から戸閉ボタン点灯指令が供給されているとき、内蔵ランプ９を点灯して、戸閉指示を受けたことを乗客に知らせる戸閉ボタン６と、戸閉ボタン５と戸開ボタン６とを結ぶように、プレート１６上に書き込まれた線によって構成され、戸開時間を延長したい乗客に戸閉ボタン５と戸開ボタン６とを同時に押せば良いことを知らせるライン表示部１０と、プレート１６上に位置され、何らかの非常事態が発生したとき、乗客によって操作される非常通報ボタン１１と、プレート１６上に配置され、乗客によって操作されたとき、エレベータ制御装置３に行き先階登録指示を供給する複数の行先階ボタン１２〜１５とを備えている。
【００２１】
そして、戸開ボタン５、または戸閉ボタン６のいずれかが操作されたとき、エレベータ制御装置３に戸開指令、または戸閉指令を供給して、戸開動作、または戸閉動作が要求されたことを知らせる。また、戸開ボタン５と、戸閉ボタン６とが同時に操作されたとき、エレベータ制御装置３に戸開指令と、戸閉指令とを供給して、戸開時間延長指示が入力されたことを知らせる。また、各行先階ボタン１２〜１５のいずれかが操作されたとき、エレベータ制御装置３に行き先階登録指示を供給して、行き先階の登録指示が入力されたことを知らせる。また、これらの動作と並行し、エレベータ制御装置３から戸開ボタン点灯指令、または戸閉ボタン点灯指令が供給されたとき、戸開ボタン５に設けられた内蔵ランプ８、または戸閉ボタン６に設けられた内蔵ランプ９を点灯して、戸開指示、または戸閉指示を受けたことを乗客に知らせる。
【００２２】
また、エレベータ制御装置３は、建物内の機械室などに設置される矩形状の扉付き筐体と、筐体内に配置され、かご内操作盤２、各呼び登録装置、ドア制御装置４、巻き上げ機などに接続された電線が結線されるインタフェース基板と、インタフェース基板を介して入力された各指令、メモリに登録されている運転パターンなどに基づき、巻き上げ機の運転指令、ドア開閉指令、戸開ボタン点灯指令、または戸閉ボタン点灯指令などを生成して、インタフェース基板からドア制御装置４、巻き上げ機など出力する制御基板とを備えている。
【００２３】
そして、各呼び登録装置のいずれかが操作されて呼び情報が供給されたとき、呼び情報に基づき、巻き上げ機の運転指令を生成して、巻き上げ機を動作させ、乗りかごが指定階に到着した時点で、ドア開閉指令を生成し、ドア制御装置４にドアを開閉する。また、かご内操作盤２から行き先階登録指示が供給されたとき、行き先階登録指示に基づき、巻き上げ機の運転指令を生成して、巻き上げ機を動作させ、乗りかごが指定階に到着した時点で、ドア開閉指令を生成し、ドア制御装置４にドアを開閉する。
【００２４】
また、図４のフローチャートに示すように、かご内操作盤２から戸開指示が供給されたとき（ステップＳ１）、または戸閉指示が供給されたとき（ステップＳ２）、戸開ボタン点灯指令、または戸閉ボタン点灯指令を生成して、戸開ボタン５の内蔵ランプ８、または戸閉ボタン６の内蔵ランプ９を点灯するとともに、戸開指令または戸開指令を生成し、ドア制御装置４に通常の戸開時間で、ドアを開動作、または閉動作する（ステップＳ３）。また、かご内操作盤２から戸開指示と、戸閉指示とが同時に供給されたとき（ステップＳ１、Ｓ２）、戸開ボタン点灯指令を生成して、戸開ボタン５の内蔵ランプ８を点灯（または、点滅）するとともに、戸開時間指令を生成し、ドア制御装置４にドアを指定された時間、例えば“１０８秒”程度、開状態にする（ステップＳ４）。
【００２５】
このように、第１の実施形態では、かご内操作盤２に設けられた戸開ボタン５と、戸閉ボタン６とが同時に操作されたとき、エレベータ制御装置３に戸開ボタン点灯指令を生成して、戸開ボタン５の内蔵ランプ８を点灯するとともに、戸開時間指令を生成し、ドア制御装置４にドアを指定された時間、例えば“１０８秒”程度、開状態にするようにしているので、かご内操作盤２に設けられている戸開ボタン５と、戸閉ボタン６とを同時に操作するだけで、戸開時間を延長することができるとともに、戸開延長を行っているとき、かご内操作盤５に設けられている戸開ボタン５を点灯、または点滅して、戸開延長中であることを報知することができ、これによって大がかりな追加工事、そのための費用、工事期間などを必要とすることなく、戸開延長機能を持たないシステムに戸開延長機能を持たせて、システムの機能アップを実現することができる。
【００２６】
また、第１の実施形態では、プレート１６上に取り付けた案内銘板７と、ライン表示部１０とによって、戸開ボタン５と、戸閉ボタン６とを同時に押せば、戸開時間を延長することができることを乗客に知らせるようにしているので、配線変更などが行わせることなく、乗客に戸開延長手順を知らせることができる。
【００２７】
《第２の実施形態》
次に、本発明の第２の実施形態を説明する。なお、基本的なシステム構成は図１と同じであるため、図１を援用して説明する。
【００２８】
第２の実施形態では、図５のフローチャートに示すように、かご内操作盤２上に設けられた戸開ボタン５が単独で操作されたとき（ステップＳ５）、通常の戸開時間で、ドアを開動作させ（ステップＳ７）、また戸開ボタン５と、１階を指定する行先階ボタン１２とが同時に操作されたとき（ステップＳ５、Ｓ６）、エレベータ制御装置３に戸開ボタン点灯指令を生成して、戸開ボタン５の内蔵ランプ８を点灯、または点滅するとともに、戸開時間指令を生成し、ドア制御装置４にドアを指定された時間、例えば“１０８秒”程度、開状態にするようにしている（ステップＳ８）。
【００２９】
このように、第２の実施形態では、かご内操作盤２に設けられた戸開ボタン５と、一階を指定する行先階ボタン１２とが同時に操作されたとき、エレベータ制御装置３に戸開ボタン点灯指令を生成して、戸開ボタン５の内蔵ランプ８を点灯するとともに、戸開時間指令を生成し、ドア制御装置４にドアを指定された時間、例えば“１０８秒”程度、開状態にするようにしているので、かご内操作盤２に設けられている戸開ボタン５と、１階を指定する行先階ボタン１２とを同時に操作するだけで、戸開時間を延長することができるとともに、戸開延長を行っているとき、かご内操作盤５に設けられている戸開ボタン５を点灯、または点滅して、戸開延長中であることを報知することができ、これによって大がかりな追加工事、そのための費用、工事期間などを必要とすることなく、戸開延長機能を持たないシステムに戸開延長機能を持たせて、システムの機能アップを実現することができる。
【００３０】
《第３の実施形態》
次に、本発明の第３の実施形態を説明する。なお、基本的なシステム構成は図１と同じであるため、図１を援用して説明する。
【００３１】
第３の実施形態では、図６のフローチャートに示すように、かご内操作盤２上に設けられた各先階ボタン１２〜１５のいずれかが単独で操作されたとき（ステップＳ１１、Ｓ１２）、通常の戸開時間で、ドアを開閉動作し（ステップＳ１３）、また１階を指定する行先階ボタン１２と、２階を指定する行先階ボタン１３とが同時に操作されたとき（ステップＳ１１、Ｓ１２）、エレベータ制御装置３に戸開ボタン点灯指令を生成して、戸開ボタン５の内蔵ランプ８を点灯、または点滅するとともに、戸開時間指令を生成し、ドア制御装置４にドアを指定された時間、例えば“１０８秒”程度、開状態にするようにしている（ステップＳ１４）。
【００３２】
このように、第３の実施形態では、かご内操作盤２に設けられた１階を指定する行先階ボタン１２と、２階を指定する行先階ボタン１３とが同時に操作されたとき、エレベータ制御装置３に戸開ボタン点灯指令を生成して、戸開ボタン５の内蔵ランプ８を点灯、または点滅するとともに、戸開時間指令を生成し、ドア制御装置４にドアを指定された時間、例えば“１０８秒”程度、開状態にするようにしているので、かご内操作盤２に設けられた１階を指定する行先階ボタン１２と、２階を指定する行先階ボタン１３とを同時に操作するだけで、戸開時間を延長することができるとともに、戸開延長を行っているとき、かご内操作盤５に設けられている戸開ボタン５を点灯、または点滅して、戸開延長中であることを報知することができ、これによって大がかりな追加工事、そのための費用、工事期間などを必要とすることなく、戸開延長機能を持たないシステムに戸開延長機能を持たせて、システムの機能アップを実現することができる。
【００３３】
《第４の実施形態》
図７は本発明の第４の実施形態を示すブロック図である。なお、この図においては、図１の各部と対応する部分に同じ符号が付してある。
【００３４】
第４の実施形態では、図８のフローチャートに示すように、かご内操作盤２上に設けられた戸開ボタン５が単独で操作されたとき、または各行先階ボタン１２〜１５のいずれかが単独で操作されたとき（ステップＳ１５、Ｓ１６、Ｓ１８、Ｓ２０）、通常の戸開時間で、ドアを開閉動作し（ステップＳ２１）、また戸開ボタン５と各行先階ボタン１２〜１４のいずれかとが同時に操作されたとき（ステップＳ１５、Ｓ１６、Ｓ１８、Ｓ２０）、エレベータ制御装置３に戸開ボタン点灯指令を生成して、戸開ボタン５の内蔵ランプ８を点灯、または点滅するとともに、操作された行先階ボタンに応じた戸開時間指令を生成し、ドア制御装置４にドアを指定された時間、例えば操作された行先階ボタンが１階を指定する行先階ボタン１２であれば（ステップＳ１６）、“１０秒”だけ開動作を延長し（ステップＳ１７）、また操作された行先階ボタンが２階を指定する行先階ボタン１３であれば（ステップＳ１８）、“２０秒”だけ開動作を延長し（ステップＳ１９）、また操作された行先階ボタンが３階を指定する行先階ボタン１４であれば（ステップＳ２０）、“３０秒”だけ開動作を延長するようにしている（ステップＳ２２）。
【００３５】
このように、第４の実施形態では、かご内操作盤２に設けられた戸開ボタン５と各行先階ボタン１２〜１４のいずれかとが同時に操作されたとき、エレベータ制御装置３に戸開ボタン点灯指令を生成して、戸開ボタン５の内蔵ランプ８を点灯、または点滅するとともに、操作された行先階ボタンに応じた戸開時間指令を生成して、ドア制御装置４にドアの開動作を制御し、操作された行先階ボタンに対応した時間だけドアの開動作を延長するようにしているので、かご内操作盤２に設けられている戸開ボタン５と、各行先階ボタン１２〜１４のいずれかとを同時に操作するだけで、操作された行き先ボタンに応じた延長時間だけ、戸開時間を延長することができるとともに、戸開延長を行っているとき、かご内操作盤５に設けられている戸開ボタン５を点灯、または点滅して、戸開延長中であることを報知することができ、これによって大がかりな追加工事、そのための費用、工事期間などを必要とすることなく、戸開延長機能を持たないシステムに戸開時間を可変し得る戸開延長機能を持たせて、システムの機能アップを実現することができる。
【図面の簡単な説明】
【００３６】
【図１】本発明の実施形態を示すブロック図である。
【図２】図１に示すかご内操作盤の詳細な構成例を示す正面図である。
【図３】図２に示す案内銘板の詳細な構成例を示す正面図である。
【図４】第１の実施形態の戸開動作例を示すフローチャートである。
【図５】第２の実施形態の戸開動作例を示すフローチャートである。
【図６】第３の実施形態の戸開動作例を示すフローチャートである。
【図７】本発明の第４の実施形態を示すブロック図である。
【図８】第４の実施形態の戸開動作例を示すフローチャートである。
【図９】従来から知られているかご内操作盤の一例を示す正面図である。
【図１０】従来から知られているかご内操作盤の他の一例を示す正面図である。
【符号の説明】
【００３７】
１：エレベータシステム
２：かご内操作盤
３：エレベータ制御装置
４：ドア制御装置
５：戸開ボタン
６：戸閉ボタン
７：案内銘板
８：内蔵ランプ
９：内蔵ランプ
１０：ライン表示部
１１：非常通報ボタン
１２〜１５：行先階ボタン
１６：プレート
【図１】
2005280905.tif 000003
【図２】
2005280905.tif 000004
【図３】
2005280905.tif 000005
【図４】
2005280905.tif 000006
【図５】
2005280905.tif 000007
【図６】
2005280905.tif 000008
【図７】
2005280905.tif 000009
【図８】
2005280905.tif 000010
【図９】
2005280905.tif 000011
【図１０】
2005280905.tif 000012